(57)【要約】      （修正有）【課題】高強度で施工性に優れた梁筋とその配筋方法を提供する。【解決手段】底筋部１１と底筋部１１の左右端から上方に立ち上がる立ち上がり筋部１２とを有するあばら筋１０が所定のピッチで配設され、各あばら筋１０同士が、対応する左右の立ち上がり筋部１２の上端内側に全強度溶接にて上端主筋２０に接続されてなる下方ユニット４０と、逆Ｌ字状を呈し、天端筋部５１と、天端筋部５１から下方に垂れる垂れ筋部５３とを有し、天端筋部５１の端部は１３５度フック５２を有し、垂れ筋部５３の下端は１８０度フック５４を有するキャップタイ５０と、から構成され、対応するあばら筋１０の立ち上がり筋部１２とキャップタイ５０の垂れ筋部５３とが所定の重ね継手長さＬでラップして梁筋１００が構成されている。【選択図】図３
2020002586.tif 000002
【特許請求の範囲】
【請求項１】
上方に開いたコの字状を呈し、底筋部と、該底筋部の左右端から上方に立ち上がる立ち上がり筋部と、を有するあばら筋が所定のピッチで配設され、各あばら筋同士が、対応する左右の前記立ち上がり筋部の上端内側において全強度溶接にて上端主筋に接続されてなる下方ユニットと、
逆Ｌ字状を呈し、天端筋部と、該天端筋部から下方に垂れる垂れ筋部と、を有するキャップタイであって、前記天端筋部の端部は１３５度フックを有し、前記垂れ筋部の下端は１８０度フックを有するキャップタイと、から構成され、
前記あばら筋を形成する前記底筋部と前記立ち上がり筋部の境界の曲げ部の内側に下端主筋が接続されており、
前記下方ユニットの各あばら筋に対して前記キャップタイが被せられた状態において、
前記１３５度フックは一方の前記上端主筋に係合され、
対応する前記あばら筋の前記立ち上がり筋部と前記キャップタイの前記垂れ筋部とが所定の重ね継手長さでラップしていることを特徴とする、梁筋。
【請求項２】
複数の前記あばら筋に対して、複数の前記キャップタイの前記垂れ筋部の左右位置が交互に向きを変えて配筋されていることを特徴とする、請求項１に記載の梁筋。
【請求項３】
前記１８０度フックが、前記梁筋の高さの中央位置よりも下方位置であって該中央位置の近傍に配設されていることを特徴とする、請求項１又は２に記載の梁筋。
【請求項４】
上方に開いたコの字状を呈し、底筋部と、該底筋部の左右端から上方に立ち上がる立ち上がり筋部と、を有するあばら筋が所定のピッチで配設され、各あばら筋同士が、対応する左右の前記立ち上がり筋部の上端内側において全強度溶接にて上端主筋に接続されてなる下方ユニットを配筋する、下方ユニット設置工程と、
逆Ｌ字状を呈し、天端筋部と、該天端筋部から下方に垂れる垂れ筋部と、を有するキャップタイであって、前記天端筋部の端部は１３５度フックを有し、前記垂れ筋部の下端は１８０度フックを有する複数のキャップタイを、前記下方ユニットの各あばら筋に被せて配筋し、前記１３５度フックを一方の前記上端主筋に係合させ、対応する前記あばら筋の前記立ち上がり筋部と前記キャップタイの前記垂れ筋部とを所定の重ね継手長さでラップさせて接続する、接続工程と、
前記あばら筋を形成する前記底筋部と前記立ち上がり筋部の境界の曲げ部の内側に下端主筋を接続する、下端主筋接続工程と、を有することを特徴とする、梁筋の配筋方法。
【請求項５】
上方に開いたコの字状を呈し、底筋部と、該底筋部の左右端から上方に立ち上がる立ち上がり筋部と、を有するあばら筋が所定のピッチで配設され、各あばら筋同士が、対応する左右の前記立ち上がり筋部の上端内側において全強度溶接にて上端主筋に接続され、かつ、前記底筋部と前記立ち上がり筋部の境界の内側に下端主筋が溶接にて接続されてなる下方ユニットを配筋する、下方ユニット設置工程と、
逆Ｌ字状を呈し、天端筋部と、該天端筋部から下方に垂れる垂れ筋部と、を有するキャップタイであって、前記天端筋部の端部は１３５度フックを有し、前記垂れ筋部の下端は１８０度フックを有するキャップタイを、前記下方ユニットに被せて配筋し、前記１３５度フックは一方の前記上端主筋に係合させ、対応する前記あばら筋の前記立ち上がり筋部と前記キャップタイの前記垂れ筋部とを所定の重ね継手長さでラップさせて接続する、接続工程と、を有することを特徴とする、梁筋の配筋方法。
【請求項６】
前記接続工程において、複数の前記あばら筋に対して、複数の前記キャップタイの前記垂れ筋部の左右位置を交互に向きを変えて配筋することを特徴とする、請求項４又は５に記載の梁筋の配筋方法。
【請求項７】
前記１８０度フックを、前記梁筋の高さの中央位置よりも下方位置であって該中央位置の近傍に配設することを特徴とする、請求項４乃至６のいずれか一項に記載の梁筋の配筋方法。
【発明の詳細な説明】
【技術分野】
【０００１】
本発明は、建物の基礎梁や柱同士を繋ぐ梁を構成する梁筋とその配筋方法に関する。
【背景技術】
【０００２】
建物の基礎梁や柱同士を繋ぐ梁を構成する梁筋の配筋に当たり、現場にて梁筋の長手方向に亘ってあばら筋間のピッチを測定しながら複数のあばら筋を配筋し、あばら筋を構成する縦筋に横筋（腹筋）を結束等にて取り付け、あばら筋の上下内側にそれぞれ複数の主筋を接続する作業を効率化するべく、いわゆる溶接鉄筋を使用する施工方法が適用されることがある。この溶接鉄筋は、工場等にて例えばあばら筋と横筋を予め溶接にてユニット化したものであり、このような溶接鉄筋を現場に搬入し、現場にて例えば上方のユニットと下方のユニットを接続することにより、閉鎖型のあばら筋を配筋する。そして、閉鎖型のあばら筋の上下の内側に上端主筋と下端主筋を配筋し、結束等することにより、梁筋が配筋される。
【０００３】
ここで、複数のあばら筋が上端主筋と下端主筋でユニット化された下方ユニットに対して、フックを有していないキャップタイを被せて配筋することにより形成される、梁筋の配筋構造と配筋方法が提案されている（例えば、特許文献１参照）。
【先行技術文献】
【特許文献】
【０００４】
【特許文献１】特開２０１６−２９２４９号公報
【発明の概要】
【発明が解決しようとする課題】
【０００５】
しかしながら、特許文献１に記載の梁筋では、キャップタイである上方のあばら筋がフックを有していないことに加えて、下方のあばら筋に対してキャップタイが僅かにラップした状態で配筋されているに過ぎないことから、十分な強度を有している梁筋であるか否かは不明である。なお、鉄筋コンクリート造配筋指針・同解説  ２０１０（日本建築学会）によれば、上記するキャップタイ形式の配筋においては、例えば、下方のあばら筋の上端に１３５度のフックを設け、この下方のあばら筋とキャップタイを８ｄ（ｄは異形鉄筋の呼び名）の重ね継手長さで重ねる配筋仕様が記載されている。このような一般仕様に鑑みると、特許文献１に記載のキャップタイ形式の梁筋の強度が十分であるか否か、言い換えれば、上下のあばら筋同士が強度のある態様で閉鎖型の鉄筋を形成しているか否かが不明であると言わざるを得ない。
【０００６】
本発明は上記する問題に鑑みてなされたものであり、高強度で施工性に優れた梁筋とその配筋方法を提供することを目的としている。
【課題を解決するための手段】
【０００７】
前記目的を達成すべく、本発明による梁筋の一態様は、
上方に開いたコの字状を呈し、底筋部と、該底筋部の左右端から上方に立ち上がる立ち上がり筋部と、を有するあばら筋が所定のピッチで配設され、各あばら筋同士が、対応する左右の前記立ち上がり筋部の上端内側において全強度溶接にて上端主筋に接続されてなる下方ユニットと、
逆Ｌ字状を呈し、天端筋部と、該天端筋部から下方に垂れる垂れ筋部と、を有するキャップタイであって、前記天端筋部の端部は１３５度フックを有し、前記垂れ筋部の下端は１８０度フックを有するキャップタイと、から構成され、
前記あばら筋を形成する前記底筋部と前記立ち上がり筋部の境界の曲げ部の内側に下端主筋が接続されており、
前記下方ユニットの各あばら筋に対して前記キャップタイが被せられた状態において、
前記１３５度フックは一方の前記上端主筋に係合され、
対応する前記あばら筋の前記立ち上がり筋部と前記キャップタイの前記垂れ筋部とが所定の重ね継手長さでラップしていることを特徴とする。
【０００８】
本態様によれば、複数のあばら筋が上端主筋にて一体化された下方ユニットの立ち上がり筋部と、各あばら筋に対応するキャップタイの垂れ筋部とが所定の重ね継手長さでラップしつつ、さらに垂れ筋部が１８０度フックを有していることにより、高い強度で一体化された梁筋が形成される。さらに、キャップタイの天端筋部の端部の１３５度フックが下方ユニットを形成する一方の上端主筋に係合していることにより、より一層高い強度で一体化された梁筋が形成される。また、本態様では、横筋の配筋が不要であり、横筋（もしくは腹筋、段取り筋等とも称される）を必須の構成としている従来一般の梁筋に比べて、鉄筋量を可及的に低減することができる。
【０００９】
本態様にて適用されるキャップタイは、逆Ｌ字状を呈し、天端筋部と該天端筋部から下方に垂れる垂れ筋部とを有し、さらに、天端筋部の端部は１３５度フックを有し、垂れ筋部の下端は１８０度フックを有する。従って、上記する鉄筋コンクリート造配筋指針・同解説にて記載されるキャップタイ、すなわち、下方に開いたコの字状を呈し（９０度フック、「ただし、スラブが取り付く側の場合」と規定）、一般的な重ね継手長さであばら筋とラップしない従来のキャップタイとは構成が全く相違している。
【００１０】
ここで、下方ユニットにおいてあばら筋と上端主筋が接続される「全強度溶接」とは、「全強度鉄筋交差溶接」とも言い、あばら筋のＪＩＳ規格降伏点以上の強度を溶接部が有し、鉄筋の伸びも溶接前の鉄筋のＪＩＳ規格値以上であり、溶接部のせん断強度があばら筋の短期の許容引張強度以上となるスポット溶接を意味する。尚、通常のスポット溶接は、溶接部が鉄筋のＪＩＳ規格降伏点の１／３乃至２／３程度を保証するものである。この全強度溶接は、通常のスポット溶接を二回以上繰り返すものであり、一度のスポット溶接後に溶接部が急冷する前に二度目のスポット溶接を行うことにより焼き鈍す溶接方法である。
【００１１】
尚、下方ユニットに必ずしも含まれない下端主筋が、あばら筋を形成する底筋部と立ち上がり筋部の境界の曲げ部の内側に接続されている。この下端主筋も、あばら筋に対して全強度溶接にて接続されていてもよいし、結束線等で結束されてもよい。このあばら筋に対する下端主筋の接続態様は、後述する配筋方法の相違によって異なってくるものである。
【００１２】
また、下方ユニットにおいて、あばら筋の立ち上がり筋部の上端内側において全強度溶接されている上端主筋は、あばら筋におけるフック代替筋となる。このように、フック代替筋である上端主筋を備えていることにより、あばら筋からはフックを不要にできる。尚、「所定の重ね継手長さ」とは、「所定のフック付き重ね継手長さ」を意味しており、コンクリートの設計基準強度Ｆｃ（Ｆｃ＝２１Ｎ／ｍｍ２等）と鉄筋の種類（ＳＤ２９５Ａ，Ｂ、ＳＤ３４５等）によって決定され、一般に２０ｄ乃至４０ｄ（ｍｍ）の間で設定される（ｄは異形鉄筋の呼び名）。
【００１３】
また、本発明による梁筋の他の態様は、複数の前記あばら筋に対して、複数の前記キャップタイの前記垂れ筋部の左右位置が交互に向きを変えて配筋されていることを特徴とする。
【００１４】
本態様によれば、複数の逆Ｌ字状のキャップタイが下方ユニットを形成する各あばら筋に対して交互に千鳥配置されていることにより、全長に亘って左右の剛性が均等な梁筋を形成できる。尚、その他のあばら筋の配筋形態としては、全ての逆Ｌ字状のキャップタイが、下方ユニットを形成する各あばら筋の右側もしくは左側のいずれか一方の立ち上がり筋部に対して同じ側に配筋される形態がある。
【００１５】
また、本発明による梁筋の他の態様は、前記１８０度フックが、前記梁筋の高さの中央位置よりも下方位置であって該中央位置の近傍に配設されていることを特徴とする。
【００１６】
本態様によれば、キャップタイの有する垂れ筋部の下端にある１８０度フックを梁筋の高さの中央位置よりも下方位置であって該中央位置の近傍に配設したことにより、せん断ひび割れ発生時においても、構造的に安定した梁筋を形成できる。ここで、「中央位置の近傍」とは、梁筋の梁成をｈとした際に、梁筋の下方からｈ／２の位置が中央位置となり、この中央位置から下方ｈ／４の範囲を意味している。
【００１７】
また、本発明による梁筋の配筋方法の一態様は、
上方に開いたコの字状を呈し、底筋部と、該底筋部の左右端から上方に立ち上がる立ち上がり筋部と、を有するあばら筋が所定のピッチで配設され、各あばら筋同士が、対応する左右の前記立ち上がり筋部の上端内側において全強度溶接にて上端主筋に接続されてなる下方ユニットを配筋する、下方ユニット設置工程と、
逆Ｌ字状を呈し、天端筋部と、該天端筋部から下方に垂れる垂れ筋部と、を有するキャップタイであって、前記天端筋部の端部は１３５度フックを有し、前記垂れ筋部の下端は１８０度フックを有する複数のキャップタイを、前記下方ユニットの各あばら筋に被せて配筋し、前記１３５度フックを一方の前記上端主筋に係合させ、対応する前記あばら筋の前記立ち上がり筋部と前記キャップタイの前記垂れ筋部とを所定の重ね継手長さでラップさせて接続する、接続工程と、
前記あばら筋を形成する前記底筋部と前記立ち上がり筋部の境界の曲げ部の内側に下端主筋を接続する、下端主筋接続工程と、を有することを特徴とする。
【００１８】
本態様によれば、例えば工場にて製作された下方ユニットとキャップタイを現場に搬送し、キャップタイの１３５度フックを下方ユニットを形成する一方の上端主筋に係合させ、立ち上がり筋部と垂れ筋部を所定の重ね継手長さでラップさせて双方を結束等にて組み付けることにより、効率的に梁筋を配筋することができる。特に、下方ユニットが上端主筋を有していることにより、キャップタイを下方ユニットの上方から被せた際に、上端主筋にキャップタイを載置することができ、この載置状態において所定の重ね継手長さを自動的に形成できることから、重ね継手長さを計測しながらラップさせる等の手間のかかる配筋は一切不要になる。
【００１９】
また、従来一般に用いられている、両端に１３５度フックを有するキャップタイでは、左右の立ち上がり筋部の上端内側において溶接接合されている２本の上端主筋に対して、このキャップタイを直接配筋することはできない。そのため、一方の端部に１３５度フックが形成されたキャップタイの当該１３５度フックを一方の上端主筋に引っ掛けた後、キャップタイの他方の端部を現場にて１３５度に曲げ加工し、他方の上端主筋に引っ掛けるようにして他方の１３５度フックを形成する等の加工が必要となる。しかしながら、本態様によれば、１３５度フックと１８０度フックを有するキャップタイを適用することにより、このような現場加工は一切不要になる。
【００２０】
尚、本態様においては、下方ユニットが下端主筋を有していないことから、キャップタイと下方ユニットを結束した後、下方ユニットのあばら筋を構成する底筋部と立ち上がり筋部の境界の曲げ部の内側に下端主筋を接続する。この接続は、例えば結束等にて行うことができる。また、本態様によれば、下方ユニットが下端主筋を備えていないことから、下方ユニットが下端主筋を有する場合と比較すると、同程度の重量の下方ユニットを製作する際に、下方ユニットの延長（梁筋の長手方向へのユニット長さ）を長くすることができる。
【００２１】
また、本発明による梁筋の配筋方法の他の態様は、
上方に開いたコの字状を呈し、底筋部と、該底筋部の左右端から上方に立ち上がる立ち上がり筋部と、を有するあばら筋が所定のピッチで配設され、各あばら筋同士が、対応する左右の前記立ち上がり筋部の上端内側において全強度溶接にて上端主筋に接続され、かつ、前記底筋部と前記立ち上がり筋部の境界の内側に下端主筋が溶接にて接続されてなる下方ユニットを配筋する、下方ユニット設置工程と、
逆Ｌ字状を呈し、天端筋部と該天端筋部から下方に垂れる垂れ筋部とを有するキャップタイであって、前記天端筋部の端部は１３５度フックを有し、前記垂れ筋部の下端は１８０度フックを有するキャップタイを、前記下方ユニットに被せて配筋し、前記１３５度フックは一方の前記上端主筋に係合させ、対応する前記あばら筋の前記立ち上がり筋部と前記キャップタイの前記垂れ筋部とを所定の重ね継手長さでラップさせて接続する、接続工程と、を有することを特徴とする。
【００２２】
本態様によれば、下方ユニットがあばら筋に対して上端主筋も下端主筋も溶接にて接続されていることから、下方ユニットに対してキャップタイを結束等にて組み付けた際に、梁筋の配筋を完成させることができる。すなわち、下方ユニットとキャップタイの組み付けの後に下端主筋の配筋をさらに行う手間を解消することができる。ここで、あばら筋に対して、下端主筋は全強度溶接にて接続されていてもよいし、スポット溶接にて接続されてもよい。
【００２３】
また、本態様による梁筋の配筋方法の他の態様は、前記接続工程において、複数の前記あばら筋に対して、複数の前記キャップタイの前記垂れ筋部の左右位置を交互に向きを変えて配筋することを特徴とする。
本態様によれば、逆Ｌ字状のキャップタイを適用しながらも、全長に亘って左右の剛性が均等な梁筋を効率的に施工することができる。
【００２４】
また、本態様による梁筋の配筋方法の他の態様は、前記１８０度フックを、前記梁筋の高さの中央位置よりも下方位置であって該中央位置の近傍に配設することを特徴とする。
本態様によれば、せん断ひび割れ発生時においても構造的に安定した梁筋を、効率的に施工することができる。
【発明の効果】
【００２５】
以上の説明から理解できるように、本発明の梁筋とその配筋方法によれば、高強度で施工性に優れた梁筋を提供することができる。
【図面の簡単な説明】
【００２６】
【図１】第１の実施形態に係る梁筋の配筋方法を説明する工程図である。
【図２】図１に続いて第１の実施形態に係る梁筋の配筋方法を説明する工程図である。
【図３】図２に続いて第１の実施形態に係る梁筋の配筋方法を説明する工程図であるとともに、第１の実施形態に係る梁筋を説明する図である。
【図４】第２の実施形態に係る梁筋の配筋方法を説明する工程図である。
【図５】図４に続いて第２の実施形態に係る梁筋の配筋方法を説明する工程図であるとともに、第２の実施形態に係る梁筋を説明する図である。
【発明を実施するための形態】
【００２７】
以下、本発明の各実施形態に係る梁筋の配筋方法と各配筋方法にて形成された梁筋について添付の図面を参照しながら説明する。尚、本明細書及び図面において、実質的に同一の構成要素については、同一の符号を付することにより重複した説明を省く場合がある。
【００２８】
［第１の実施形態に係る梁筋の配筋方法と梁筋］
はじめに、図１乃至図３を参照して、第１の実施形態に係る梁筋の配筋方法とこの配筋方法にて形成された梁筋を説明する。ここで、図１乃至図３はこの順に、第１の実施形態に係る梁筋の配筋方法を説明する工程図であり、図３はさらに、第１の実施形態に係る梁筋を説明する図である。図１に示すように、本実施形態に係る梁筋の配筋方法は、工場等にて予め下方ユニット４０とキャップタイ５０を製作したものを現場搬送し、現場にて下方ユニット４０とキャップタイ５０を組み付けることにより梁筋の配筋を行うものである。
【００２９】
図１に示すように、下方ユニット４０は、上方に開いたコの字状を呈し、底筋部１１と、底筋部１１の左右端から上方に立ち上がる立ち上がり筋部１２と、を有するあばら筋１０が、梁筋の長手方向であるＺ方向に所定のピッチｓで配設され、各あばら筋１０同士が、対応する左右の立ち上がり筋部１２の上端内側において上端主筋２０にて接続されることにより形成されている。
【００３０】
ここで、立ち上がり筋部１２と上端主筋２０の接続は、全強度溶接にて接続される。この全強度溶接は、通常のスポット溶接を二回以上繰り返す溶接であり、一度のスポット溶接後に溶接部が急冷する前に二度目のスポット溶接を行うことにより、焼き鈍す溶接方法である。この全強度溶接により、あばら筋１０と上端主筋２０の溶接部があばら筋１０のＪＩＳ規格降伏点以上の強度を有し、鉄筋の伸びも溶接前の鉄筋のＪＩＳ規格値以上であり、溶接部のせん断強度があばら筋の短期の許容引張強度以上を有することになり、双方の部材が高い接続強度で接続されている。
【００３１】
図示する所定のピッチｓは、１５０ｍｍ、２００ｍｍ等、コンクリート内における必要鉄筋量等から決定される。また、あばら筋１０は例えば異形棒鋼から形成され、直径１０ｍｍ（Ｄ１０）、Ｄ１３等の鉄筋が適用され、これも上記所定のピッチｓとの関連で必要鉄筋量等から決定される。
【００３２】
上端主筋２０には所定径の異形棒鋼が適用され、図示例の上端主筋２０は２本であることから、設計曲げモーメントや設計せん断力等を満たすようにその径が設定される。尚、必要鉄筋量の観点からは、最終的に梁筋された状態において、２本の上端主筋２０の間に１以上の別途の上端主筋２０が配筋されてもよい。例えば、図示例においては、Ｄ１９、Ｄ２２等の異形棒鋼を適用できる（以上、下方ユニット設置工程）。
【００３３】
一方、キャップタイ５０は、逆Ｌ字状を呈し、天端筋部５１と、天端筋部５１から下方に垂れる垂れ筋部５３とを有し、天端筋部５１の端部は１３５度フック５２を有し、垂れ筋部５３の下端は１８０度フック５４を有する。
【００３４】
梁筋の形成に当たり、図示する下方ユニット４０は５本のあばら筋１０を有しており、従って、キャップタイ５０も各あばら筋１０に対応する５本が用意される。また、各あばら筋１０に対して、対応する各キャップタイ５０は垂れ筋部５３の左右位置が交互に向きを変える態様で、千鳥配置に配筋されることから、図１に示すような各キャップタイ５０の配置となる。
【００３５】
下方ユニット４０においては、あばら筋１０が立ち上がり筋部１２の端部にフックを具備しないものの、上端主筋２０が全強度溶接にて接続されていることにより、この上端主筋２０がフックに代わるフック代替筋となる。このように、あばら筋１０の端部に上端主筋２０が全強度溶接にて接続されていることから、フックに期待されるあばら筋１０のコンクリート内における良好な定着性が保証される。
【００３６】
尚、図示例の下方ユニット４０を形成するあばら筋１０とキャップタイ５０は、いずれも５本ずつであるが、現場への搬送性の他、現場における運搬性等の施工性の観点から、６本以上のあばら筋１０とキャップタイ５０を有して可能な限りＺ方向に長いユニットとしてもよい。
【００３７】
特に、下方ユニット４０が主筋として上端主筋２０のみを有し、下端主筋を有していないことから、後述する第２の実施形態に係る配筋方法で適用される下方ユニットと比べて下方ユニット４０の重量が相対的に軽量になっている。そのため、下端主筋を有する第２の実施形態に係る下方ユニットと比べて、Ｚ方向により一層長い下方ユニット４０とすることができる。また、このようにより一層長い下方ユニット４０を用意した場合は、キャップタイ５０に関しても、この長い下方ユニット４０の有するあばら筋１０に対応する数のキャップタイ５０が用意される。
【００３８】
次に、図２に示すように、キャップタイ５０を下方ユニット４０に被せて配筋する。具体的には、１３５度フック５２を一方の上端主筋２０に係合させ、対応するあばら筋１０の立ち上がり筋部１２とキャップタイ５０の垂れ筋部５３とを所定の重ね継手長さＬ（「所定のフック付き重ね継手長さ」）でラップさせて接続することにより、梁筋中間体１００'を施工する（以上、接続工程）。
【００３９】
ここで、日本建築学会建築工事標準仕様書（ＪＡＳＳ５）２００９年、「鉄筋工事」に基づけば、端部にフックを備えたあばら筋同士を所定の重ね継手長さを確保するように相互にラップさせて接続する場合の重ね継手長さは、コンクリートの設計基準強度Ｆｃ（Ｆｃ＝２１Ｎ／ｍｍ２等）と鉄筋の種類（ＳＤ２９５Ａ，Ｂ、ＳＤ３４５等）によって決定さる。従って、本実施形態における重ね継手長さＬもこの基準に則り、２０ｄ乃至４０ｄ（ｍｍ）の間で設定することができる。
【００４０】
この接続工程では、下方ユニット４０が上端主筋２０を有していることにより、キャップタイ５０を下方ユニット４０の上方から被せた際に、２本の上端主筋２０の上にキャップタイ５０を載置することができる。そして、この載置状態において、所定の重ね継手長さＬを自動的に形成できることから、重ね継手長さＬを計測しながら立ち上がり筋部１２と垂れ筋部５３をラップさせる等の手間のかかる配筋は一切不要になる。すなわち、このような重ね継手長さＬの計測に際してキャップタイ５０を固定する治具を一切不要としながら、高い効率性の下で梁筋を配筋することができる。
【００４１】
次に、図３に示すように、各あばら筋１０を形成する底筋部１１と立ち上がり筋部１２の境界の曲げ部の内側に下端主筋３０を配筋し、接続することにより、第１の実施形態に係る梁筋１００が配筋される（下端主筋接続工程）。ここで、あばら筋１０に対する下端主筋３０の接続は、結束線等による結束にて行われる。
【００４２】
図３に示すように、梁筋１００においては、キャップタイ５０の有する１８０度フック５４が、梁筋１００の高さｈの中央位置（ｈ／２）よりも下方位置であって、中央位置の近傍に配設されている。ここで、「中央位置の近傍」とは、梁筋１００の中央位置から例えば下方ｈ／４未満の範囲を意味している。このように、１８０度フック５４を梁筋１００の高さｈの中央位置よりも下方位置であって、中央位置の近傍に配設していることにより、せん断ひび割れ発生時においても構造的に安定した梁筋１００を形成できる。
【００４３】
また、梁筋１００は、横筋の配筋を不要としている。そのため、横筋を必須の構成としている従来一般の梁筋に比べて、鉄筋量を可及的に低減することが可能になり、施工手間も軽減される。
【００４４】
さらに、梁筋１００において、複数のキャップタイ５０が下方ユニット４０を形成する各あばら筋１０に対して交互に千鳥配置されていることにより、全長に亘って左右の剛性が均等な梁筋１００が形成される。尚、その他のあばら筋の配筋形態としては、全てのキャップタイ５０が、下方ユニット４０を形成する各あばら筋１０の右側もしくは左側のいずれか一方の立ち上がり筋部１２に対して同じ側に配筋される形態があり、この形態が適用されてもよい。
【００４５】
［第２の実施形態に係る梁筋の配筋方法と梁筋］
次に、図４及び図５を参照して、第２の実施形態に係る梁筋の配筋方法とこの配筋方法にて形成された梁筋を説明する。ここで、図４と図５はこの順に、第２の実施形態に係る梁筋の配筋方法を説明する工程図であり、図５はさらに、第２の実施形態に係る梁筋を説明する図である。図４に示すように、本実施形態に係る梁筋の配筋方法においても、第１の実施形態の配筋方法と同様に、工場等にて予め下方ユニット４０Ａとキャップタイ５０を製作したものを現場搬送し、現場にて下方ユニット４０Ａとキャップタイ５０を組み付けることにより梁筋の配筋を行うものである。
【００４６】
以下の説明では、第１の実施形態の配筋方法との相違点を述べることにより、第２の実施形態の配筋方法や梁筋の構成の理解が容易となることから、図１乃至図３も適宜参照しながら第２の実施形態の配筋方法と梁筋を説明する。
【００４７】
図１と図４を比較すると明らかなように、第２の実施形態に係る配筋方法では、下方ユニット４０Ａが、あばら筋１０の左右の立ち上がり筋部１２の上端内側に全強度溶接にて上端主筋２０を有していることに加えて、底筋部１１と立ち上がり筋部１２の境界の内側に全強度溶接にて下端主筋３０を有している。すなわち、下方ユニット設置工程により、上端主筋２０と下端主筋３０が同時に配筋されることが特徴である。
【００４８】
また、第１の実施形態における下方ユニット４０と異なり、第２の実施形態における下方ユニット４０Ａは下端主筋３０を有している分だけユニット重量が増加する。そのため、例えば下方ユニット４０と同重量の下方ユニット４０Ａを製作しようとした際に、同程度の施工性を保証するには、梁筋の長手方向であるＺ方向の長さを相対的に短くすることを要する。例えば、図１における下方ユニット４０が所定間隔ｓを有した５本のあばら筋１０を備えているのに対して、図４における下方ユニット４０Ａは所定間隔ｓを有した４本のあばら筋１０を備えていて、例えば全体の重量が同程度になっている。尚、キャップタイ５０も、下方ユニット４０Ａの有するあばら筋１０の数に応じて、４本のキャップタイ５０が用意される。
【００４９】
図５に示すように、キャップタイ５０を下方ユニット４０Ａに被せて配筋し、１３５度フック５２を一方の上端主筋２０に係合させ、対応するあばら筋１０の立ち上がり筋部１２とキャップタイ５０の垂れ筋部５３とを所定の重ね継手長さＬでラップさせて結束等にて接続することにより、自動的に梁筋１００Ａの配筋が完了する（接続工程）。
【００５０】
この配筋方法によれば、下方ユニット４０Ａとキャップタイ５０の組み付けの後に、下端主筋３０の配筋をさらに行う手間を解消することができ、より一層高い効率性の下で梁筋の配筋を行うことができる。
【００５１】
そして、形成された梁筋１００Ａにおいても、１８０度フック５４が梁筋１００Ａの高さｈの中央位置（ｈ／２）よりも下方の領域であって、中央位置から下方ｈ／４未満の範囲に配設されていることにより、せん断ひび割れ発生時においても構造的に安定した梁筋１００Ａを形成できる。また、梁筋１００Ａにおいても、横筋の配筋は不要である。さらに、梁筋１００Ａにおいても、複数のキャップタイ５０が下方ユニット４０Ａを形成する各あばら筋１０に対して交互に千鳥配置されていることにより、全長に亘って左右の剛性が均等な梁筋１００Ａが形成される。
【００５２】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００５３】
１０：あばら筋、１１：底筋部、１２：立ち上がり筋部、２０：上端主筋、３０：下端主筋、４０，４０Ａ：下方ユニット、５０：キャップタイ、５１：天端筋部、５２：１３０度フック、５３：垂れ筋部、５４：１８０度フック、１００，１００Ａ：梁筋
【図１】
2020002586.tif 000003
【図２】
2020002586.tif 000004
【図３】
2020002586.tif 000005
【図４】
2020002586.tif 000006
【図５】
2020002586.tif 000007